【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
第１および第２の脊椎間に配置するための椎間板であって、
第１の脊椎に接触する第１の表面と、
第２の脊椎に接触する第２の表面と、を備え
前記第１の表面と前記第２の表面は、これら表面の間に空間を有しており、
前記第１の表面と前記第２の表面との間の前記空間に配置されたコア機構とを備えており、
該コア機構は、第１の剛性を有した椎間板の外側領域と、第２の剛性を有した椎間板の内側領域と、を備えており、前記第２の剛性は前記第２の剛性と異なること特徴とする椎間板。
【請求項２】
前記第１の表面および第２の表面の少なくとも一方に配置された移動抵抗構造をさらに備えることを特徴とする請求項１に記載の椎間板。
【請求項３】
前記第１の表面および第２の表面の少なくとも一方に配置された移植機器の取付け、案内、または保持のための構造をさらに備えることを特徴とする請求項１または２に記載の椎間板。
【請求項４】
前記第１および第２の表面は離れるように弾性的に付勢されていることを特徴とする請求項１〜３のいずれかに記載の椎間板。
【請求項５】
前記第１の表面を含む上端板と、前記第２の表面を含む下端板と、を有していることを特徴とする請求項１〜３のいずれかに記載の椎間板。
【請求項６】
前記端板の少なくとも一方は、金属、ポリマー、セラミック、および複合材料からなる群から選択された材料により形成されていることを特徴とする請求項５に記載の椎間板。
【請求項７】
前記端板の少なくとも一方は、皮質、海綿質、同種移植片、自家移植片、異種移植片、脱塩化または部分的に脱塩化された骨からなる群から選択された骨材料により形成されていることを特徴とする請求項５に記載の椎間板。
【請求項８】
前記コア機構は、上端板と前記下端板との間に延在した膜を備えており、該膜と前記上端板と前記下端板とにより内部容量を画定し、
前記コア機構は、前記内部容量から流体を注入または排出するように、前記内部容量と連通した弁を、さらに備えていることを特徴とする請求項５〜７のいずれかに記載の椎間板。
【請求項９】
前記上端板と前記下端板とはそれぞれ表面を有しており、一方の前記内表面はソケットを有しており、他方の前記内表面は突起を有しており、該突起は前記ソケット内において連接するように構成されていることを特徴とする請求項８に記載の椎間板。
【請求項１０】
前記膜は、前記膜はエラストマー材料により形成されていることを特徴とする請求項８または９に記載の椎間板。
【請求項１１】
前記膜は、蛇腹を含むことを特徴とする請求項８または９に記載の椎間板。
【請求項１２】
前記内部容量に非圧縮性の流体をさらに備えることを特徴とする請求項８〜１１のいずれかに記載の椎間板。
【請求項１３】
前記コア機構は、前記第１の表面と前記第２の表面との間に配置された外側壁及び内側壁を含み、該内側壁は環を画定していることを特徴とする請求項１〜４のいずれかに記載の椎間板。
【請求項１４】
前記環に少なくとも部分的に充填した流体をさらに備えることを特徴とする請求項１３に記載の椎間板。
【請求項１５】
前記環内に配置されたエラストマー材料をさらに備えることを特徴とする請求項１３に記載の椎間板。
【請求項１６】
前記板は前記第１の剛性を有し、前記エラストマー材料は第２の剛性を有し、前記第１の剛性と前記第２の剛性とは実質的に同等ではないことを特徴とする請求項１５に記載の椎間板。
【請求項１７】
前記板は前記第１の剛性を有したエラストマー材料を少なくとも部分的に含み、
前記エラストマー材料を含まない板の他の部分は、前記第１の剛性と同等ではない第２の剛性を有していることを特徴とする請求項１３に記載の椎間板。
【請求項１８】
前記第１の表面及び前記第２の表面と、前記外側壁及び前記内側壁とは、内部容量を確定しており、前記内部容量から流体を注入または排出するように、椎間板の内部容量と連通した弁をさらに備えていることを特徴とする請求項１３〜１７のいずれかに記載の椎間板。
【請求項１９】
前記第１の表面及び前記第２の表面と、前記外側壁及び前記内側壁とは、略Ｃ字形構造を画定していることを特徴とする請求項１３〜１８のいずれかに記載の椎間板。
【請求項２０】
前記コア機構は、外表面と内表面とを有した外部壁を有しており、前記外部壁は、前記第１の表面と前記第２の表面との間に延在しており、前記外部壁と、第１の表面及び第２の表面とは、第１のチャンバ及び第２のチャンバを含む内部容量を画定していることを特徴とする請求項１〜５のいずれかに記載の椎間板。
【請求項２１】
前記第１のチャンバは、第２の剛性を有した第１の材料により形成された第１の壁によって画定されており、前記外部壁は、前記第１の剛性を有した第２の材料により形成されており、前記第１の剛性と前記第２の剛性とは、実質的に同等ではないことを特徴とする請求項２０に記載の椎間板。
【請求項２２】
前記第２のチャンバは、前記第１のチャンバに流体連通していることを特徴とする請求項２０または２１に記載の椎間板。
【請求項２３】
前記第２のチャンバは、前記第１のチャンバから密封されていることを特徴とする請求項２０または２１に記載の椎間板。
【請求項２４】
前記第２のチャンバは、互いに流体連通した複数のチャンバを含むことを特徴とする請求項２３に記載の椎間板。
【請求項２５】
前記第１のチャンバは、前記第１の表面と前記第２の表面を相互に旋回せしめることを特徴とする請求項２０〜２４のいずれかに記載の椎間板。
【請求項２６】
前記第１のチャンバは、その中に弾性要素を有することを特徴とする請求項２０〜２５のいずれかに記載の椎間板。
【請求項２７】
前記板は、第１の剛性を有しており、前記弾性要素はばねであり、該ばねは、前記第１の剛性よりも大きい第２の剛性を有していることを特徴とする請求項２６に記載の椎間板。
【請求項２８】
前記第１のチャンバは、その中に空孔部を有していることを特徴とする請求項２０〜２５のいずれかに記載の椎間板。
【請求項２９】
前記第１のチャンバから流体を注入または排出するように、前記第１のチャンバと連通した弁をさらに備えていること特徴とする請求項２０〜２８のいずれかに記載の椎間板。
【請求項３０】
前記第２のチャンバから流体を注入または排出するように、前記第２のチャンバと連通した弁をさらに備えていること特徴とする請求項２０〜２９のいずれかに記載の椎間板。
【請求項３１】
前記第１の表面と前記第２の表面との間に少なくとも第１のケーブル要素および第２のケーブル要素を備えており、
前記第１および第２のケーブル要素はそれぞれ所定の長さを有し、前記第１のケーブル要素の長さは前記第２のケーブル要素の長さより実質的に短いことを特徴とする請求項１〜５のいずれかに記載の椎間板。
【請求項３２】
前記第１の表面と前記第２の表面のうち少なくとも一方の表面は、少なくとも１つの孔を有しており、前記第１のケーブル要素及び第２のケーブル要素のうちの一方のケーブル要素は、前記少なくとも１つの孔に結合していることを特徴とする請求項３１に記載の椎間板。
【請求項３３】
前記第１の表面と前記第２の表面との間に配置された複数の周辺ケーブル要素をさらに備え、前記各周辺ケーブル要素は所定の長さを有しており、前記第１のケーブル要素は中心ケーブル要素を含み、各周辺ケーブル要素の長さは前記中心ケーブル要素の長さよりも実質的に長いことを特徴とする請求項３１または３２に記載の椎間板。
【請求項３４】
前記第１の表面と前記第２の表面との間に配置された膜をさらに備えることを特徴とする請求項３１〜３３のいずれかに記載の椎間板。
【請求項３５】
前記第１の表面と前記第２の表面は、内部容量を画定し、該板は、前記内部容量から流体を注入または排出するように、前記容量と連通した弁をさらに備えていることを特徴とする請求項３４に記載の椎間板。